【手続補正書】
【提出日】平成17年5月17日(2005.5.17)
【手続補正１】
【補正対象書類名】特許請求の範囲
【補正対象項目名】全文
【補正方法】変更
【補正の内容】
【特許請求の範囲】
【請求項１】
ユーザに予定テレビジョン番組を提案するテレビジョン装置であって、
予定番組の放送時間および特徴を含むテレビジョン番組予定のデータを受信する手段と、
ユーザが視聴しているテレビジョン番組についての特徴データを受信する手段と、
ユーザについての特徴重みの表を記憶する手段と、
前記ユーザが視聴している前記テレビジョン番組についての前記特徴データに基づいて、前記表中の特徴重みを周期的に増分する手段と、
今後の時間帯を選択し、前記時間帯に放送される予定の提案テレビジョン番組のリストを要求するユーザ・インタフェース手段と、
前記予定番組の特徴、前記ユーザについての前記特徴重みの表、および、前記今後の時間帯の任意の選択に従って前記予定を選別することによって、前記提案テレビジョン番組のリストを生成するプロセッサ手段と、を含むユーザに予定テレビジョン番組を提案するテレビジョン装置。
【請求項２】
前記ユーザ・インタフェース手段を使用して選択できる少なくとも２つの択一のモードを含み、
第１のモードが選択された場合、少なくとも１つの特徴の重みが、ユーザについての前記特徴重み表に於いて、ゼロであるような複数の特徴を有する番組が提案でき、
前記少なくとも２つのモードのうち第２のモードが選択された場合、少なくとも１つの特徴の重みが、前記表に於いて、ゼロであるような番組は提案されない、請求項１記載のユーザに予定テレビジョン番組を提案するテレビジョン装置。
【請求項３】
前記特徴が、トピック／テーマのフォーマットに於けるトピックとテーマであり、前記第１のモードが選択された場合、番組に於けるトピックについての平均重みが、番組重みを計算する際に、付加される、請求項２記載のユーザに予定テレビジョン番組を提案するテレビジョン装置。
【請求項４】
前記少なくとも２つのモードのうち前記第１のモードが、デフォルト・モードであり、前記少なくとも２つのモードのうち前記第２のモードが、前記ユーザ・インタフェースで選択可能である、請求項２記載のユーザに予定テレビジョン番組を提案するテレビジョン装置。
【請求項５】
前記今後の時間帯が、ユーザが選択可能な開始時間と、停止時間と、オプションとして放送日とによって、決定される、請求項１記載のユーザに予定テレビジョン番組を提案するテレビジョン装置。
【請求項６】
選択された今後の時間帯をデフォルトとして保存するユーザ・インタフェース手段を含む、請求項４記載のユーザに予定テレビジョン番組を提案するテレビジョン装置。
【請求項７】
前記特徴が、トピックとテーマであり、前記テレビジョン番組予定データと前記ユーザが視聴している前記テレビジョン番組についての前記特徴データとには、関連性データが含まれており、前記特徴重みが、トピック／テーマを有する番組がユーザによって視聴された時間の経過回数に、前記トピック／テーマの関連性を、乗じたものの合計である、請求項１記載のユーザに予定テレビジョン番組を提案するテレビジョン装置。
【請求項８】
複数のユーザの各一人を識別する手段と、前記識別されたユーザのモードの選択および／または今後の時間帯の選択をユーザ・プロファイルに記憶する手段とを含む、請求項１記載のユーザに予定テレビジョン番組を提案するテレビジョン装置。
【請求項９】
１つ或いは複数の番組を、前記ユーザ・インタフェースに表示された前記提案番組リストから選択でき、ユーザ視聴計画リストに付加できる、請求項１記載のユーザに予定テレビジョン番組を提案するテレビジョン装置。
【請求項１０】
ユーザが以前見たテレビジョン番組の特徴に基づいてテレビジョン番組予定を選別して、ユーザが視聴用またはレコーディング用にテレビジョン番組を選択する際にユーザを支援する方法であって、
今後放送されるテレビジョン番組の予定放送時間と特徴とを含むテレビジョン番組予定を受信するステップと、
前記ユーザが前に見た番組に基づいて、特徴重みを含むユーザ・プロファイルを維持するステップと、
前記ユーザが、今後の時間帯を選択できるようにするステップと、
前記ユーザ・プロファイルに於いて重みがゼロである特徴を有する番組の提案が可能な第１のモードと、前記ユーザ・プロファイルに於いて重みがゼロである特徴を有する番組の提案が出来ない第２のモードの何れかを、オプションとして、前記ユーザが選択できるようにするステップと、
選択された任意のモードに従って、予定テレビジョン番組の特徴と前記ユーザ・プロファイルに於ける特徴重みとに基づいて、前記選択された今後の任意の時間帯内に在る提案テレビジョン番組のリストを生成するステップとを含む、テレビジョン番組を選択する際にユーザを支援する方法。
【請求項１１】
前記ユーザが、開始時間および／または停止時間を選択できる、請求項１０記載のテレビジョン番組を選択する際にユーザを支援する方法。
【請求項１２】
前記ユーザによって選択された時間帯をデフォルトとして保存できる、請求項１０記載のテレビジョン番組を選択する際にユーザを支援する方法。
【請求項１３】
前記ユーザによって選択された任意の時間帯と所望の特徴基準とに適合する、所定数までの番組のリストが、特徴重みの順に、表示される、請求項１０記載のテレビジョン番組を選択する際にユーザを支援する方法。
【請求項１４】
選別が行われると、提案番組のリストが表示され、ユーザが前記リストから番組を選択でき、その結果、前記選択した予定番組が放送される時に、或いは、その前に、前記ユーザが、前記リストからの選択について、注意を喚起される、請求項１０記載のテレビジョン番組を選択する際にユーザを支援する方法。
【請求項１５】
前記特徴が、トピック、テーマ、および、トピック／テーマ関連性係数を含む、請求項１０記載のテレビジョン番組を選択する際にユーザを支援する方法。
【請求項１６】
特徴重みが、ユーザが見た時間と、ユーザが見た番組の特徴の１から１０までのステップの関連性係数とに基づいている、請求項１０記載のテレビジョン番組を選択する際にユーザを支援する方法。
【請求項１７】
番組の放送情報に特徴と特徴関連性係数とが含まれるテレビジョン番組をユーザが視聴する時間毎に関連性係数だけ増分されるカウンタに、前記特徴重みが記憶される、請求項１０記載のテレビジョン番組を選択する際にユーザを支援する方法。
【請求項１８】
前記時間が５分であり、前記カウンタが前記各時間の経過の度に前記関連性係数だけ増分される、請求項１７記載のテレビジョン番組を選択する際にユーザを支援する方法。
【請求項１９】
前記ユーザが、相異なる選別アルゴリズムに対応する少なくとも２つのモード間で選択を行うことを可能にするステップを含み、
前記少なくとも２つのモードのうち第１のモードが選択された場合、少なくとも１つの特徴の重みがゼロであるような複数の特徴を有する番組が提案でき、
前記少なくとも２つのモードのうち第２のモードが選択された場合、前記ユーザ・プロファイルに於いて少なくとも１つの特徴の重みがゼロであるような番組は提案されない、請求項１０記載のテレビジョン番組を選択する際にユーザを支援する方法。
【請求項２０】
前記少なくとも２つのモードのうちの前記第１のモードがデフォルト・モードであり、前記少なくとも２つのモードのうちの前記第２のモードが前記ユーザ・インタフェースで選択可能である、請求項１９記載のテレビジョン番組を選択する際にユーザを支援する方法。
【請求項２１】
重み付けアルゴリズムが、
Ｗｐ＝（Ｒｅｌ１＊Ｃｔｈ１＋Ｒｅｌ２＊Ｃｔｈ２＋・・・＋Ｒｅｌｎ＊Ｃｔｈｎ）＋Ｃ２＊（Ｃｔ１＋Ｃｔ２＋・・・＋Ｃｔｎ）
の公式で定義され、ここで、
Ｗｐは、番組予定ガイドに於ける番組についての重み、
Ｃｔｈ１、Ｃｔｈ２、・・・、Ｃｔｈｎは、その番組が属するトピック／テーマについてのユーザ・プロファイルに於ける各カウンタ内の値、
Ｒｅｌ１、Ｒｅｌ２、・・・、Ｒｅｌｎは、その番組ｐに於けるトピック／テーマについてのディレク・ティービーによって割り当てられた対応する関連性、
Ｃｔ１、Ｃｔ２、・・・、Ｃｔｎは、その番組に於けるトピックについての平均重みであり、
Ｃｔ１＝（Ｃｔｈ１１＋Ｃｔｈ１２＋・・・＋Ｃｔｈ１ｍ）／ｍ、ここで、
Ｃｔｈ１１は、トピック１／テーマ１についてのカウンタ値、
Ｃｔｈ１２は、トピック１／テーマ２についてのカウンタ値、
・・・、
Ｃｔｈ１ｍは、トピック１／テーマｍについてのカウンタ値、ここで
ｍは、１番目のトピックに於けるテーマ数であり、
Ｃｔｎ＝（Ｃｔｈｎ１＋Ｃｔｈｎ２＋・・・＋Ｃｔｈｎｐ）／ｐ、ここで
Ｃｔｈｎ１は、トピックｎ／テーマ１についてのカウンタ値、
Ｃｔｈｎ２は、トピックｎ／テーマ２についてのカウンタ値、
・・・、
Ｃｔｈｎｐは、トピックｎ／テーマｐについてのカウンタ値、
ｐは、ｎ番目のトピックに於けるテーマ数であり、
前記第１のモードに於いて、Ｃ２は、１に設定され、
前記第２のモードに於いて、Ｃ２は、０に設定され、そして、番組ｐに於けるトピック／テーマに対応する何れかのトピック／テーマ・カウンタがゼロの場合、Ｗｐ＝０になる、請求項１９記載のテレビジョン番組を選択する際にユーザを支援する方法。
【手続補正２】
【補正対象書類名】明細書
【補正対象項目名】発明の名称
【補正方法】変更
【補正の内容】
【発明の名称】ユーザに予定テレビジョン番組を提案するテレビジョン装置およびテレビジョン番組を選択する際にユーザを支援する方法